(57)【要約】【課題】利用者に快適な外観印象を与えること。【解決手段】実施形態の照明器具１は、器具本体１０と、電源ユニットと、有機エレクトロルミネッセンスパネル２０とを具備する。器具本体１０は、平面の形状である。電源ユニットは、器具本体１０の中央部であって、器具本体１０が取り付けられる取り付け対象側である上面に配置される。有機エレクトロルミネッセンスパネル２０は、器具本体１０に配置され、電源ユニットに接続され、取り付け対象側とは反対側である下面方向を少なくとも照射する。【選択図】図１
2013182732.tif 000002
【特許請求の範囲】
【請求項１】
平面の形状である器具本体と；
前記器具本体の中央部であって、当該器具本体が取り付けられる取り付け対象側である上面に配置された電源ユニットと；
前記器具本体に配置され、前記電源ユニットに接続され、前記取り付け対象側とは反対側である下面方向を少なくとも照射する有機エレクトロルミネッセンスパネルと；
を具備することを特徴とする照明器具。
【請求項２】
前記器具本体の中央部において前記上面側に突出して配置され、前記電源ユニットに接続され、前記有機エレクトロルミネッセンスパネルの配光角より小さい配光角によって前記下面方向を照射する発光ダイオード光源部と；
を更に具備し、
前記有機エレクトロルミネッセンスパネルは、前記器具本体の中央部の周辺である周辺部に配置されたことを特徴とする請求項１に記載の照明器具。
【請求項３】
前記有機エレクトロルミネッセンスパネル及び前記発光ダイオード光源部は、略同じ光束を有することを特徴とする請求項２に記載の照明器具。
【請求項４】
前記有機エレクトロルミネッセンスパネルは、消灯時は透明状態となることを特徴とする請求項１〜３のいずれか１つに記載の照明器具。
【請求項５】
前記有機エレクトロルミネッセンスパネルは、点灯時には前記下面及び上面の方向を照射することを特徴とする請求項４に記載の照明器具。
【請求項６】
前記器具本体の平面に形成され、開口面積が前記平面の面積に対して所定の割合以上となる開口部；
を更に具備することを特徴とする請求項１〜５のいずれか１つに記載の照明器具。
【発明の詳細な説明】
【技術分野】
【０００１】
本発明の実施形態は、照明器具に関する。
【背景技術】
【０００２】
近年、有機エレクトロルミネッセンス（Electro-Luminescence：ＥＬ）パネルを照明用の光源として用いた照明器具が実用化されている。有機ＥＬパネルは、数ミリメートル程度の厚さである。
【０００３】
しかし、照明器具には、光源以外にも、光源を点灯させるための点灯回路や光源に電力を供給するための電源線等が配置される。このため、有機ＥＬパネルを照明用の光源として用いた照明器具を、例えば、器具全体に渡って薄くする等、利用者に対して快適感を与える外観とすることが困難であった。
【先行技術文献】
【特許文献】
【０００４】
【特許文献１】特開２００９−１７０２４９号公報
【発明の概要】
【発明が解決しようとする課題】
【０００５】
本発明が解決しようとする課題は、利用者に快適な外観印象を与えることができる照明器具を提供することである。
【課題を解決するための手段】
【０００６】
実施形態の照明器具は、器具本体と、電源ユニットと、有機エレクトロルミネッセンスパネルとを具備する。器具本体は、平面の形状である。電源ユニットは、前記器具本体の中央部であって、当該器具本体が取り付けられる取り付け対象側である上面に配置される。有機エレクトロルミネッセンスパネルは、前記器具本体に配置され、前記電源ユニットに接続され、前記取り付け対象側とは反対側である下面方向を少なくとも照射する。
【発明の効果】
【０００７】
実施形態の照明器具によれば、利用者に快適な外観印象を与えることができる。
【図面の簡単な説明】
【０００８】
【図１】図１は、第１の実施形態に係る照明器具の斜視図である。
【図２】図２は、第１の実施形態に係る照明器具が有する器具本体の下面図である。
【図３】図３は、第１の実施形態に係る照明器具が有する器具本体の上面図である。
【図４】図４は、第１の実施形態に係る照明器具が有する器具本体の側面図である。
【図５Ａ】図５Ａは、第１の実施形態に係る照明器具が有する有機ＥＬパネルの構成例を示す図（１）である。
【図５Ｂ】図５Ｂは、第１の実施形態に係る照明器具が有する有機ＥＬパネルの構成例を示す図（２）である。
【図６】図６は、第１の実施形態に係る照明器具が有する有機ＥＬパネルの取り付け位置の一例を示す図である。
【図７】図７は、第１の実施形態に係る照明器具が有するＬＥＤ光源の取り付け位置の一例を示す図である。
【図８】図８は、第１の実施形態に係る照明器具が有する器具本体に設けられる開口部の一例を示す図である。
【図９】図９は、第２の実施形態に係る照明器具の斜視図である。
【図１０】図１０は、第２の実施形態に係る照明器具が有する器具本体の上面図である。
【図１１】図１１は、第２の実施形態に係る照明器具が有する有機ＥＬパネルの構成例を示す図である。
【発明を実施するための形態】
【０００９】
実施形態の照明器具は、器具本体と、電源ユニットと、有機エレクトロルミネッセンスパネルとを具備する。器具本体は、平面の形状である。電源ユニットは、前記器具本体の中央部であって、当該器具本体が取り付けられる取り付け対象側である上面に配置される。有機エレクトロルミネッセンスパネルは、前記器具本体に配置され、前記電源ユニットに接続され、前記取り付け対象側とは反対側である下面方向を少なくとも照射する。
【００１０】
また、実施形態の照明器具は、前記器具本体の中央部において前記上面側に突出して配置され、前記電源ユニットに接続され、前記有機エレクトロルミネッセンスパネルの配光角より小さい配光角によって前記下面方向を照射する発光ダイオード光源部を更に具備しても良い。かかる場合、前記有機エレクトロルミネッセンスパネルは、前記器具本体の中央部の周辺である周辺部に配置される。
【００１１】
また、実施形態の照明器具が具備する前記有機エレクトロルミネッセンスパネル及び前記発光ダイオード光源部は、略同じ光束を有する場合であっても良い。
【００１２】
また、実施形態の照明器具が具備する前記有機エレクトロルミネッセンスパネルは、消灯時は透明状態となる場合であっても良い。
【００１３】
また、実施形態の照明器具が具備する前記有機エレクトロルミネッセンスパネルは、点灯時には前記下面および上面の方向を照射する場合であっても良い。
【００１４】
また、実施形態の照明器具は、前記器具本体の平面に形成され、開口面積が前記平面の面積に対して所定の割合以上となる開口部を更に具備しても良い。
【００１５】
以下、添付図面を参照して、照明器具の実施形態を詳細に説明する。
【００１６】
（第１の実施形態）
まず、第１の実施形態に係る照明器具の外観について、図１〜図４を用いて説明する。
【００１７】
［第１の実施形態に係る照明器具の外観］
図１は、第１の実施形態に係る照明器具の斜視図であり、図２は、第１の実施形態に係る照明器具が有する器具本体の下面図である。図３は、第１の実施形態に係る照明器具が有する器具本体の上面図であり、図４は、第１の実施形態に係る照明器具が有する器具本体の側面図である。
【００１８】
図１に示すように、第１の実施形態に係る照明器具１は、器具本体１０と、有機エレクトロルミネッセンス（Electro-Luminescence：ＥＬ）パネル２０と、発光ダイオード（Light  Emitting  Diode：ＬＥＤ）光源部３０と、開口部４０とを有する。なお、以下では、有機エレクトロルミネッセンスパネル２０を有機ＥＬパネル２０と記載し、発光ダイオード光源部３０をＬＥＤ光源部３０と記載する。
【００１９】
器具本体１０は、図１に示すように、３本のワイヤー５０を介して、取り付け部７０と接続される。取り付け部７０は、図示しない天井面に直付けされた状態で支持される。また、図１に示す電源線６０は、後述する電源ユニットと接続されており、取り付け部７０内の電源端子台に差し込まれる。なお、器具本体１０は、天井面に埋込み取付けされる場合であっても良い。また、器具本体１０が取り付けられる取り付け対象は、天井面に限定されるものではなく、例えば支柱や壁等であっても良い。
【００２０】
器具本体１０は、平面の形状である。そして、器具本体１０の中央部であって、器具本体１０が取り付けられる取り付け対象側である上面には、後述する電源ユニットが配置される。例えば、第１の実施形態では、図３及び図４に示すように、中央部に配置される電源ユニットを覆う中央部カバー１１が器具本体１０の上面の中央に取り付けられる。中央部カバー１１が取り付けられた器具本体１０は、図４に示すように、中央の上面側が突出した外観となる。例えば、器具本体１０は、図４に示すように、厚さが７ｍｍであり底面の直径が６５０ｍｍの扁平な円錐台である。なお、図４に例示する器具本体１０には、側面に２本の横線の模様が施されている。また、例えば、器具本体１０の中央の上面側に取り付けられる中央部カバー１１は、図４に示すように、厚さが５０ｍｍであり底面の直径が３５０ｍｍの円錐台である。なお、器具本体１０及び中央部カバー１１の寸法及び形状は、あくまでも一例であり、これらに限定されるものではない。
【００２１】
中央部カバー１１が取り付けられた器具本体１０は、図４に示すように、側面から見た場合、中央部カバー１１の周囲が一様に薄く、中央部カバー１１において上面側に厚くなる形状となり、また、下面が全体に渡って平面状となる。器具本体１０は、例えば、剛性の高い金属や、剛性が高く透光性を有する樹脂等により形成される。なお、第１の実施形態は、中央部カバー１１を取り付けずに、電源ユニットを器具本体１０の上面の中央に配置する場合であっても良い。
【００２２】
有機ＥＬパネル２０は、器具本体１０に配置され、電源ユニットに接続される。そして、有機ＥＬパネル２０は、取り付け対象側とは反対側である下面方向を照射する。なお、有機ＥＬパネル２０は、下側方向だけでなく、側面方向や、上側方向を照射する場合であっても良い。
【００２３】
第１の実施形態では、有機ＥＬパネル２０は、器具本体１０の中央部の周辺である周辺部に配置される。例えば、有機ＥＬパネル２０は、有機発光ダイオード（Organic  light-emitting  diode：ＯＬＥＤ）を用いた光源である。第１の実施形態では、図１及び図２に示すように、器具本体１０の中央部の周囲を取り囲む第１パネル群として、６枚の有機ＥＬパネル２０が、器具本体１０の中心を中心とする同心円上に６０度おきに配置される。なお、下面図である図２には、中央部カバー１１に対応する位置を点線の丸で示している。
【００２４】
また、第１の実施形態では、図１及び図２に示すように、第１パネル群を取り囲む第２パネル群として、６枚の有機ＥＬパネル２０が、器具本体１０の中心を中心とする同心円上に６０度おきに配置される。すなわち、第２パネル群が配置される同心円の半径は、第１パネル群が配置される同心円の半径より大きい。また、第２パネル群が配置される起点は、図１及び図２に示すように、第１パネル群が配置される起点より３０度ずれた位置となる。なお、図１や図２に例示した有機ＥＬパネル２０の枚数及び配置位置は、あくまでも一例であり、周辺部に配置される有機ＥＬパネル２０の枚数及び配置位置は、これらに限定されるものではない。
【００２５】
ＬＥＤ光源部３０は、器具本体１０中央部において上面側に突出して配置され、電源ユニットに接続される。そして、ＬＥＤ光源部３０は、有機ＥＬパネル２０の配光角より小さい配光角によって下面方向を照射する。ＬＥＤ光源部３０は、ＬＥＤ素子を用いた光源である。第１の実施形態では、図１及び図２に示すように、中央部カバー１１内に、３灯のＬＥＤ光源部３０が、器具本体１０の中心を中心とする同心円上に１２０度おきに配置される。３灯のＬＥＤ光源部３０が配置される同心円の半径は、中央部カバー１１の底面の半径より小さい。また、３灯のＬＥＤ光源部３０が配置される起点は、図１及び図２に示すように、第１パネル群が配置される起点より３０度ずれた位置となる。
【００２６】
なお、図１や図２に例示したＬＥＤ光源部３０の灯数及び配置位置は、あくまでも一例であり、中央部に配置されるＬＥＤ光源部３０の灯数及び配置位置は、これらに限定されるものではない。また、第１の実施形態は、ＬＥＤ光源部３０を光源として配置しない場合であっても良い。かかる場合、有機ＥＬパネル２０は、中央部にも配置されても良い。
【００２７】
また、器具本体１０の平面には、開口部４０が形成される。第１の実施形態では、器具本体１０の平面には、図１〜図３に示すように、６つの開口部４０が、第２パネル群を構成する有機ＥＬパネル２０の間に、６０度おきに配置される。ここで、図１〜図３に示す６つの開口部４０は、開口面積が器具本体１０の面積に対して所定の割合以上となるように、器具本体１０に形成される。具体的には、６つの開口部４０の開口面積の合計は、器具本体１０の面積に対して１０％以上の面積とされる。開口部４０が設けられることで、天井面に取り付けられた照明器具１の下方に位置する利用者は、開口部４０から天井面を視認することができる。例えば、ワイヤー５０の一部は、図１に示すように、開口部４０から、利用者に視認される。図１〜３に示す開口部４０の寸法の一例については、後に説明する。
【００２８】
なお、電源線６０は、図３に示す孔ａを通って、中央部カバー１１内に挿入される。孔ａは、図３に示すように、中央部カバー１１の中心に設けられる。また、３本のワイヤー５０それぞれは、図３に示す孔ｂ、孔ｃ及び孔ｄを通って、取り付け部７０と接続される。例えば、３本のワイヤー５０それぞれの先端には、孔ｂ、孔ｃ及び孔ｄそれぞれの半径より大きい半径の球体が取り付けられており、かかる球体により、器具本体１０が保持される。例えば、孔ｂ、孔ｃ及び孔ｄは、図３に示すように、中央部カバー１１の周辺に１２０度おきに設けられる。
【００２９】
［第１の実施形態に係る照明器具の各部の詳細］
次に、図５〜図８を用いて、周辺部に配置される有機ＥＬパネル２０、中央部カバー１１内に配置されるＬＥＤ光源部３０、中央部カバー１１内に配置される電源ユニット及び開口部４０等について説明する。図５Ａ及び図５Ｂは、第１の実施形態に係る照明器具が有する有機ＥＬパネルの構成例を示す図であり、図６は、第１の実施形態に係る照明器具が有する有機ＥＬパネルの取り付け位置の一例を示す図である。図７は、第１の実施形態に係る照明器具が有するＬＥＤ光源の取り付け位置の一例を示す図であり、図８は、第１の実施形態に係る照明器具が有する器具本体に設けられる開口部の一例を示す図である。
【００３０】
図５Ａに例示するように、有機ＥＬパネル２０は、基板２０ａと、基板２０ａ上に陽極層２０ｂ、有機ＥＬ発光層２０ｃ及び陰極層２０ｄが積層された有機ＥＬ素子と、封止部材２０ｅとから構成される。基板２０ａは、透光性のガラス板やポリエチレンテレフタレート（polyethylene  terephthalate：ＰＥＴ）樹脂等から形成される。陽極層２０ｂは、透光性を有するインジウム錫酸化物（tin-doped  indium  oxide：ＩＴＯ）やインジウム亜鉛酸化物（indium  zinc  oxide：ＩＺＯ）が基板２０ａ上に積層されることで形成される。
【００３１】
有機ＥＬ発光層２０ｃは、陽極層２０ｂの形成領域上に形成される。有機ＥＬ発光層２０ｃは、図示しない正孔輸送層、発光層及び電子注入層が順次積層され、白色発光層として構成される。発光色を白色にするためには、発光層として赤色、緑色及び青色の各色に発光する有機化合物を積層又は混合する方法や、補色の関係にある青色、黄色に発光する有機化合物を積層又は混合する方法等がある。以下では、青色、黄色に発光する蛍光材料を積層する場合について説明する。
【００３２】
正孔輸送層には、例えば、トリフェニルジアミン誘導体が用いられる。発光層には、例えば、黄色発光層の材料としてトリフェニルジアミン誘導体、ドーパント材料にテトラセン誘導体が用いられる。また、発光層には、例えば、青色発光層の材料としてアントラセン誘導体、ドーパント材料にペリレン誘導体が用いられる。電子注入層には、例えば、フッ化リチウムが用いられる。なお、有機ＥＬ発光層２０ｃの層構成や材料は、上記に限定されるものではなく、設計に応じ各種層構成や材料を採用することができる。例えば、有機ＥＬ発光層２０ｃは、発光層のみで構成されても良い。
【００３３】
陰極層２０ｄは、有機ＥＬ発光層２０ｃの形成領域上に形成される。陰極層２０ｄは、例えば、光の反射性の高い金属製であり、アルミニウム、マグネシウム、マグネシウムアルミニウム合金等が用いられる。
【００３４】
陽極層２０ｂ、有機ＥＬ発光層２０ｃ及び陰極層２０ｄは、基板２０ａの外周部に接着剤を介して接着された皿状の封止部材２０ｅによって気密的に封止される。封止部材２０ｅは、例えば、透光性のガラスにより形成される。なお、封止部材２０ｅは、金属等の材料を用いて形成されても良い。
【００３５】
第１の実施形態では、有機ＥＬパネル２０は、図５Ｂに示すように、縦が９３ｍｍで横が８３ｍｍの長方形として形成される。ここで、有機ＥＬパネル２０の発光面は、図５Ｂに示すように、７３ｍｍの正方形となる。図２に示す有機ＥＬパネル２０は、例えば、器具本体１０の平面下面に形成された７３ｍｍの正方形のパネル用開口部に、７３ｍｍの正方形発光面が位置するように配置される。そして、図２に示す有機ＥＬパネル２０は、例えば、基板２０ａ及び封止部材２０ｅにより形成される発光面の外周部分により器具本体１０に保持される。
【００３６】
図５Ｂにおいて、発光面の外周部分にドットパターンの長方形で示す部分は、陽極層２０ｂ及び陰極層２０ｄそれぞれに接続される給電端子が配置される場所を示している。これら給電素子は、図５Ｂに示す配線２０ｆ及び配線２０ｇに接続されている。なお、図５Ｂに示す有機ＥＬパネル２０は、１２枚のパネルを個別に交換可能なように、図示しない給電端子に接続可能な受電端子を設けたカセットとして製造されている。
【００３７】
図６は、図２に示す線ＡＡ’により器具本体１０を切断した切断面において、器具本体１０の外周部分を拡大した図である。図６に示すように、器具本体１０の周辺部には、厚さが７ｍｍの空間が形成されており、かかる空間に、厚さが２ｍｍの有機ＥＬパネル２０が配置される。そして、有機ＥＬパネル２０の配線２０ｆ及び配線２０ｇは、器具本体１０の中央部に向かって配線される。
【００３８】
なお、図５Ｂ及び図６に例示した有機ＥＬパネル２０の寸法は、あくまでも一例であり、有機ＥＬパネル２０の寸法は、これらに限定されるものではない。また、上記では、有機ＥＬパネル２０が、器具本体１０に形成されたパネル用開口部に配置される場合について説明した。しかし、有機ＥＬパネル２０は、例えば、透光性を有する素材で形成された器具本体１０の下面に上側から載置される場合であっても良い。また、第１の実施形態は、例えば、透光性を有する素材で形成され、ＬＥＤ光源部３０を避けるためにドーナツ状をなした板の上に複数の有機ＥＬパネル２０が配置され、かかる板が、器具本体１０の下面に取り付けられる場合であっても良い。また、第１の実施形態は、有機ＥＬパネル２０の下面と器具本体１０の下面との間に段差が無い場合について説明した。しかし、第１の実施形態は、例えば、有機ＥＬパネル２０の下面が、器具本体１０の下面方向に若干突出する場合であっても良い。また、第１の実施形態は、有機ＥＬパネル２０が個別に交換可能なカセットとして製造されない場合であっても良い。
【００３９】
図７は、図２に示す線ＡＡ’により器具本体１０を切断した切断面において、ＬＥＤ光源部３０が配置される器具本体１０の中央部の一部領域を拡大した図である。ＬＥＤ光源部３０は、例えば、図７に示すように、基板３０ａ上に形成されたＬＥＤ素子３０ｂと、ＬＥＤ素子３０ｂから下面方向に向かって照射される光の配光角を調整するための反射板３０ｄ及びレンズ３０ｅとを有する。
【００４０】
そして、中央部カバー１１の中には、少なくとも電源ユニットが配置される。例えば、中央部カバー１１は、図７に示すように、有機ＥＬパネル２０に接続される点灯回路１１ｂ及び点灯回路１１ｃと、ＬＥＤ光源部３０に接続される点灯回路１１ｄとを収納する。点灯回路１１ｂは、上述した第１パネル群に接続され、点灯回路１１ｃは、上述した第２パネル群に接続される。例えば、第１パネル群からの配線２０ｆ及び配線２０ｇは、点灯回路１１ｂに接続され、第２パネル群からの配線２０ｆ及び配線２０ｇは、点灯回路１１ｃに接続される。また、図示しない３灯のＬＥＤ光源部３０からの配線は、点灯回路１１ｄに接続される。
【００４１】
また、例えば、中央部カバー１１の中には、図７に示すように、点灯回路１１ｂ、点灯回路１１ｃ及び点灯回路１１ｄを介して、有機ＥＬパネル２０及びＬＥＤ光源部３０の光束を制御する制御回路１１ｅ等が配置される。点灯回路１１ｂ、点灯回路１１ｃ、点灯回路１１ｄ及び制御回路１１ｅ等は、図７に示すように、基板１１ａ上に形成され、照明器具１の電源ユニットとして機能する。
【００４２】
また、中央部カバー１１の中には、ＬＥＤ光源部３０が器具本体１０の中央部において上面側に突出して配置される。図７に示す一例では、厚みが３０ｍｍとなる「基板３０ａ、ＬＥＤ素子３０ｂ及び反射板３０ｄ」が、厚みが５０ｍｍの中央部カバー１１の空間に収納される。なお、第１の実施形態は、中央部カバー１１に、基板３０ａ、ＬＥＤ素子３０ｂ及び「反射板３０ｄの一部」が収納される場合であっても、基板３０ａ、ＬＥＤ素子３０ｂ、反射板３０ｄ及びレンズ３０ｅが収納される場合であっても良い。なお、中央部カバー１１内に収納されるＬＥＤ光源部３０の厚みは、あくまでも一例であり、この厚みは、上記の値に限定されるものではない。
【００４３】
ここで、ＬＥＤ光源部３０から下面方向に照射される光の配光角は、反射板３０ｄ及びレンズ３０ｅにより、有機ＥＬパネル２０の配光角より小さい配光角に調整される。有機ＥＬパネル２０は、面光源であるので、均等拡散に近い広い配光角となる。第１の実施形態では、ＬＥＤ光源部３０の配光角は、例えば、図７に示すように、有機ＥＬパネル２０の広い配光角より小さい、略２０度に調整される。
【００４４】
なお、第１の実施形態は、ＬＥＤ光源部３０から下面方向に照射される光の配光角を小さく調整しない場合であっても良い。例えば、第１の実施形態は、ＬＥＤ光源部３０から下面方向に照射される光の配光角が有機ＥＬパネル２０の配光角より大きい配光角に調整される場合であっても良い。また、第１の実施形態は、ＬＥＤ光源部３０に反射板３０ｄやレンズ３０ｅを設けない場合であっても良い。
【００４５】
また、第１の実施形態では、有機ＥＬパネル２０及びＬＥＤ光源部３０は、略同じ光束を有する。例えば、第１の実施形態では、光束が１枚当たり５０ルーメンの有機ＥＬパネル２０を１２枚用い、光束が１灯当たり２００ルーメンのＬＥＤ光源部３０を３灯用いる。これにより、１２枚の有機ＥＬパネル２０の光束を合計した光束と、３灯のＬＥＤ光源部３０の光束を合計した光束とは、双方６００ルーメンとなる。点灯回路１１ｂ及び点灯回路１１ｃと、点灯回路１１ｄとは、全灯時には、制御回路１１ｅの制御により、１２枚の有機ＥＬパネル２０及び３灯のＬＥＤ光源部３０が同等の明るさとなる電流を流す。
【００４６】
また、制御回路１１ｅは、点灯回路１１ｂ、点灯回路１１ｃ及び点灯回路１１ｄを制御することで、有機ＥＬパネル２０の光度とＬＥＤ光源部３０の光度とを個別に調整する。例えば、制御回路１１ｅは、１２枚の有機ＥＬパネル２０を合計した光束と、３灯のＬＥＤ光源部３０を合計した光束とが、双方３００ルーメンとなるように調整する。また、例えば、制御回路１１ｅは、３灯のＬＥＤ光源部３０及び６枚の第１パネル群のみを点灯させたり、６枚の第２パネル群のみを点灯させたりする。
【００４７】
また、例えば、制御回路１１ｅは、３灯のＬＥＤ光源部３０それぞれの光束を、６０ルーメンや、３０ルーメンに調整する。また、例えば、制御回路１１ｅは、１２枚の有機ＥＬパネル２０の光束それぞれを、２５ルーメンに調整する。また、例えば、制御回路１１ｅは、６枚の第１パネル群の光束それぞれを５０ルーメンとし、６枚の第２パネル群の光束それぞれを２５ルーメンに調整する。なお、制御回路１１ｅによる調整は、利用者が、壁に設けられた操作パネルを操作したり、器具本体１０の下面の中央部に設けられた受光面（厨図示せず）に対してリモコンの調光用ボタンを押下したりすることで行なわれる。
【００４８】
なお、第１の実施形態は、有機ＥＬパネル２０及びＬＥＤ光源部３０が、異なる光束を有する場合であっても良い。
【００４９】
ここで、上述したように、図１〜図３に示す６つの開口部４０の開口面積の合計は、器具本体１０の面積に対して１０％以上の面積とされる。具体的には、開口部４０は、器具本体１０の中央部の中心を中心とし、半径の長さが異なる２つの同心円で挟まれる領域に形成される。例えば、開口部４０は、図８に示すように、半径の長さが６０ｍｍ異なる２つの同心円で挟まれる領域において、内側の同心円で弦の長さが１００ｍｍとなる円弧と、外側の同心円において弦の長さが１９０ｍｍとなる円弧と、これら２つの円弧を両端で結ぶ２つの線分とで囲んだ形状に形成される。図８に例示した形状で形成された６つの開口部４０の開口面積の合計は、器具本体１０の面積に対して約１５％の面積となる。
【００５０】
なお、上記の開口部４０の形状及び寸法は、あくまでも一例であり、開口部４０の開口面積の合計が器具本体１０の面積に対して１０％以上の面積であるならば、任意の形状及び寸法であって良い。また、第１の実施形態は、器具本体１０に開口部４０が形成されない場合であっても良い。かかる場合、開口部４０が形成されていた位置に、有機ＥＬパネル２０が配置されても良い。
【００５１】
上述したように、第１の実施形態では、器具本体１０は、平面の形状である。そして、電源ユニット（点灯回路１１ｂ、点灯回路１１ｃ、点灯回路１１ｄ及び制御回路１１ｅ等）は、器具本体１０の中央部であって、器具本体１０が取り付けられる取り付け対象側である上面に配置される。有機ＥＬパネル２０は、平面に配置され、電源ユニットに接続され、取り付け対象側とは反対側である下面方向を少なくとも照射する。
【００５２】
第１の実施形態に係る照明器具１の下面方向に位置する利用者から主に視認される箇所は、平面形状である器具本体１０と有機ＥＬパネル２０であり、いずれも電源ユニットより薄く形成できる部材である。このため、第１の実施形態に係る照明器具１は、照明器具として薄い形状の外観を形成することができ、利用者に快適な外観印象を与えることができる。
【００５３】
また、第１の実施形態では、ＬＥＤ光源部３０は、器具本体１０の中央部において上面側に突出して配置され、電源ユニットに接続され、有機ＥＬパネル２０の配光角より小さい配光角によって下面方向を照射する。そして、有機ＥＬパネル２０は、器具本体１０の中央部の周辺である周辺部に配置される。
【００５４】
面光源である有機ＥＬパネル２０は、広い配光角を有することから、空間を全体的に照らすことができるが、有機ＥＬパネル２０の光束だけでは十分な明るさを得ることができない。第１の実施形態では、有機ＥＬパネル２０を周辺部に配置し、ＬＥＤ光源部３０を中央部に有機ＥＬパネル２０の光束だけでは不十分な明るさを補うことができる。
【００５５】
また、ＬＥＤ光源部３０の配光角を有機ＥＬパネル２０の配光角より小さく絞ることで、有機ＥＬパネル２０により全体を照らし、ＬＥＤ光源部３０により器具本体１０の直下の部分をより明るく照らすことができる。例えば、第１の実施形態では、器具本体１０の中央部に配置した複数のＬＥＤ光源部３０から照射されるビームの配光角を調整することで、照明器具１の直下に照射される光を集光する。その結果、第１の実施形態に係る照明器具１は、実用的な明るさを提供することができる。例えば、第１の実施形態では、有機ＥＬパネル２０の明るさに、３０００カンデラ程度のＬＥＤ光源部３０の明るさ（３０００ｃｄ程度）を加えることによって、器具直下２ｍに位置する卓上面において、３００〜７００ルクスの実用的な明るさを得ることができる。
【００５６】
また、配光角を調整するために、反射板３０ｄ及びレンズ３０ｅがＬＥＤ光源部３０に設けられることから、ＬＥＤ光源部３０は、有機ＥＬパネル２０より厚くなる。第１の実施形態では、ＬＥＤ光源部３０を、器具本体１０の中央部において上面側に突出して配置することで、器具本体１０の下面側を平面に維持し、利用者に快適な外観印象を与えることができる。
【００５７】
また、第１の実施形態では、全有機ＥＬパネル２０の光束は、全ＬＥＤ光源部３０と略同じ光束を有するので、照明器具１の直下と、周辺部とで明るさを略均一にすることができる。
【００５８】
また、第１の実施形態では、器具本体１０の平面に形成され、開口面積が平面の面積に対して所定の割合以上となる開口部４０を設ける。複数枚の有機ＥＬパネル２０を平面に配置すると器具面積が大きくなり、利用者に対して圧迫感を与える場合がある。第１の実施形態では、利用者に対して圧迫感を与えない所定の割合以上（例えば、１０％以上）で器具本体１０に開口部４０を設けることで、利用者に対して快適感を与える照明器具１を提供することができる。また、器具本体１０に開口部４０を設けることで、器具重量の軽量化ができ、材料も少なくてすむことからコスト低減の効果もある。
【００５９】
（第２の実施形態）
まず、第２の実施形態に係る照明器具の外観について、図９及び図１０を用いて説明する。図９は、第２の実施形態に係る照明器具の斜視図であり、図１０は、第２の実施形態に係る照明器具が有する器具本体の上面図である。図９及び図１０において、第１の実施形態に係る照明器具１と同じ構成要件については、同じ符号を付与している。
【００６０】
第２の実施形態に係る照明器具２は、図９及び図１０に示すように、器具本体１０と、ＬＥＤ光源部３０と、開口部４０とを有する。また、器具本体１０には、図１０に示すように、上面の中央に、電源ユニットやＬＥＤ光源部３０の一部を収納する中央部カバー１１が取り付けられる。また、器具本体１０には、図９及び図１０に示すように、６つの開口部４０が形成される。このため、図９に示すように、ワイヤー５０の一部は、開口部４０を介して利用者に視認される。
【００６１】
また、器具本体１０は、図９に示すように、３本のワイヤー５０を介して、取り付け部７０と接続される。また、取り付け部７０は、図示しない天井面に直付けされた状態で支持される。また、図９に示す電源線６０は、中央部カバー１１が収納する電源ユニットと接続されており、取り付け部７０内の電源端子台に差し込まれる。また、第２の実施形態でも、ＬＥＤ光源部３０は、中央部カバー１１内において、３灯配置される。なお、器具本体１０は、天井面に埋込み取付けされる場合であっても良い。また、器具本体１０が取り付けられる取り付け対象は、天井面に限定されるものではなく、例えば支柱等であっても良い。
【００６２】
第２の実施形態に係る照明器具２は、第１の実施形態に係る照明器具１が有する有機ＥＬパネル２０に代わって、有機ＥＬパネル２１を有する。なお、有機ＥＬパネル２１は、第１の実施形態の有機ＥＬパネル２０と同様に、図９に示すように、器具本体１０の中央部の周囲を取り囲む第１パネル群として６枚の有機ＥＬパネル２１が配置され、第１パネル群を取り囲む第２パネル群として６枚の有機ＥＬパネル２１が配置される。例えば、有機ＥＬパネル２１は、器具本体１０に形成されたパネル用開口部に配置される。また、例えば、有機ＥＬパネル２１は、個別に交換可能なカセットとして製造される。
【００６３】
なお、第２の実施形態に係る器具本体１０の下面図及び側面図は、有機ＥＬパネル２０に代わって有機ＥＬパネル２１が配置される以外は、第１の実施形態と同様である。
【００６４】
第２の実施形態において、器具本体の中央部の周囲に配置される有機ＥＬパネル２１は、消灯時は透明状態となる。すなわち、有機ＥＬパネル２１は、透明有機ＥＬパネルである。このため、図９に示すように、ワイヤー５０の一部は、開口部４０だけでなく、有機ＥＬパネル２１からも利用者に視認される。また、図１０に示すように、１２枚の有機ＥＬパネル２１は、器具本体１０の上面からも利用者に視認される。そして、有機ＥＬパネル２１は、点灯時は少なくとも器具本体１０の下面方向を照射するように構成される。
【００６５】
図１１は、第２の実施形態に係る照明器具が有する有機ＥＬパネルの構成例を示す図である。図１１に例示するように、有機ＥＬパネル２１は、基板２１ａと、基板２１ａ上に陽極層２１ｂ、有機ＥＬ発光層２１ｃ及び陰極層２１ｄが積層された有機ＥＬ素子と、封止部材２１ｅとから構成される。そして、陽極層２１ｂ、有機ＥＬ発光層２１ｃ及び陰極層２１ｄは、基板２１ａの外周部に接着剤を介して接着された皿状の封止部材２１ｅによって気密的に封止される。ここで、基板２１ａ、陽極層２１ｂ及び有機ＥＬ発光層２１は、図５の（Ａ）を用いて説明した基板２０ａ、陽極層２０ｂ及び有機ＥＬ発光層２０と同様に構成される。
【００６６】
一方、陰極層２１ｄは、例えば、光の反射性の高い金属製であり、アルミニウム、マグネシウム、マグネシウムアルミニウム合金等が細線化された状態で、有機ＥＬ発光層２１ｃの形成領域上に形成される。また、封止部材２１ｅは、例えば、透光性の高いガラスにより形成される。例えば、有機ＥＬパネル２１は、図５の（Ｂ）に示す有機ＥＬパネル２０と同様の寸法で構成される。
【００６７】
このように、陰極層２１ｄを細線化し、封止部材２１ｅを透光性の高い材料で形成することで、有機ＥＬパネル２１は、消灯時は、略透明状態となり、点灯時は器具本体１０の主に下面方向に光を照射する。
【００６８】
なお、第２の実施形態においても、ＬＥＤ光源部３０から下面方向に照射される光の配光角は、反射板３０ｄ及びレンズ３０ｅにより、有機ＥＬパネル２１の配光角より小さい配光角に調整される。また、第２の実施形態においても、全有機ＥＬパネル２１の光束は、全ＬＥＤ光源部３０と略同じ光束を有する。
【００６９】
また、第２の実施形態における器具本体１０、中央部カバー１１、ＬＥＤ光源部３０、開口部４０の寸法及び形状は、第１の実施形態で説明した中央部カバー１１、ＬＥＤ光源部３０、開口部４０の寸法及び形状と同じである。しかし、これらの寸法及び形状は、あくまでも一例であり、第２の実施形態における器具本体１０、中央部カバー１１、ＬＥＤ光源部３０、開口部４０の寸法及び形状は、任意の寸法及び形状に変更可能である。ただし、開口部４０については、開口面積が、器具本体１０の平面の面積に対して、例えば、１０％以上となるように形成されることが望ましい。
【００７０】
また、第２の実施形態における有機ＥＬパネル２１の寸法及び形状は、第１の実施形態で説明した有機ＥＬパネル２０の寸法及び形状と同じである。しかし、第２の実施形態における有機ＥＬパネル２１の寸法及び形状は、任意の寸法及び形状に変更可能である。
【００７１】
また、第２の実施形態は、中央部カバー１１を取り付けずに、電源ユニットやＬＥＤ光源部３０を器具本体１０の上面の中央に配置する場合であっても良い。
【００７２】
また、図９に示す有機ＥＬパネル２１の枚数及び配置位置は、あくまでも一例であり、周辺部に配置される有機ＥＬパネル２１の枚数及び配置位置は、これらに限定されるものではない。また、ＬＥＤ光源部３０の灯数及び配置位置は、あくまでも一例であり、中央部に配置されるＬＥＤ光源部３０の灯数及び配置位置は、これらに限定されるものではない。
【００７３】
また、第２の実施形態は、ＬＥＤ光源部３０を光源として配置しない場合であっても良い。かかる場合、有機ＥＬパネル２１は、中央部にも配置されても良い。また、第２の実施形態は、ＬＥＤ光源部３０から下面方向に照射される光の配光角を有機ＥＬパネル２０の配光角より小さく調整しない場合であっても良い。また、第２の実施形態は、有機ＥＬパネル２１及びＬＥＤ光源部３０が、異なる光束を有する場合であっても良い。また、第２の実施形態は、器具本体１０に開口部４０が形成されない場合であっても良い。
【００７４】
上述したように、第２の実施形態に係る照明器具２が有する有機ＥＬパネル２１は、消灯時は透明状態となる。そして、有機ＥＬパネル２１は、点灯時は少なくとも器具本体１０の下面方向を照射する。第２の実施形態では、消灯時透明となる有機ＥＬパネル２１を照明器具２に搭載することにより、器具本体１０から消灯時に天井面が視認されることから、利用者に対する圧迫感を軽減することができる。その結果、第２の実施形態では、利用者に対して快適感を与える照明器具２を提供できる。
【００７５】
また、点灯時に器具本体１１の下面方向に光を照射するように有機ＥＬパネル２１を構成することで、有機ＥＬパネル２１の発光を照明用に効率的に利用することができる。
【００７６】
また、第２の実施形態では、有機ＥＬパネル２１とともに、第１の実施形態と同様に、器具本体１０に開口部４０を設けることで、点灯時及び消灯時に器具本体１０から天井面が視認されることから、利用者に対する圧迫感をより軽減することができる。
【００７７】
ここで、第２の実施形態は、変形例として、有機ＥＬパネル２１を、点灯時は器具本体１０の下面及び上面の方向を照射するように構成しても良い。かかる場合、陰極層２１ｄは、透光性を有するＩＺＯにより形成される。この変形例では、器具本体１０から消灯時に天井面が視認されるとともに、点灯時に天井面も照らされることから、部屋全体の明るさ感を高めることができる。
【００７８】
また、第２の実施形態は、変形例として、有機ＥＬパネル２０及び有機パネル２１が混在されて配置されても良い。例えば、第２の実施形態は、有機ＥＬパネル２０を第１のパネル群とし、有機パネル２１を第２パネル群として配置する場合であっても良い。かかる場合であっても、利用者に対する圧迫感を軽減することができる。
【００７９】
なお、第２の実施形態の照明器具２は、有機ＥＬパネル２１から天井面が視認されるように構成する必要があることから、器具本体１０は、剛性が高く透光性を有する樹脂等により形成される。或いは、第２の実施形態は、金属により形成された器具本体１０を用いても良い。かかる場合、器具本体１０の上面には、パネル用開口部に対向する位置に、開口部が形成される。
【００８０】
ただし、第２の実施形態は、パネル用開口部を設けない場合であっても良い。有機ＥＬパネル２１は、例えば、透光性を有する素材で形成された器具本体１０の下面に上側から載置される場合であっても良い。また、第２の実施形態は、例えば、透光性を有する素材で形成されたドーナツ状の板の上に複数の有機ＥＬパネル２１が配置され、かかる板が、器具本体１０の下面に取り付けられる場合であっても良い。また、第２の実施形態は、有機ＥＬパネル２１の下面と器具本体１０の下面との間に段差が無い場合について説明した。しかし、第２の実施形態は、例えば、有機ＥＬパネル２１の下面が、器具本体１０の下面方向に若干突出する場合であっても良い。また、第２の実施形態は、有機ＥＬパネル２１が個別に交換可能なカセットとして製造されない場合であっても良い。
【００８１】
第２の実施形態は、透明有機ＥＬパネルである有機ＥＬパネル２１が用いられる以外は、第１の実施形態で説明した内容が適用される。
【００８２】
以上、説明したとおり、第１の実施形態及び第２の実施形態によれば、利用者に快適な外観印象を与えることができる。
【００８３】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００８４】
１  照明器具
１０  器具本体
１１  中央部カバー
２０  有機ＥＬ（エレクトロルミネッセンス）パネル
３０  ＬＥＤ（発光ダイオード）光源部
４０  開口部
５０  ワイヤー
６０  電源線
７０  取り付け部
【図１】
2013182732.tif 000003
【図２】
2013182732.tif 000004
【図３】
2013182732.tif 000005
【図４】
2013182732.tif 000006
【図５Ａ】
2013182732.tif 000007
【図５Ｂ】
2013182732.tif 000008
【図６】
2013182732.tif 000009
【図７】
2013182732.tif 000010
【図８】
2013182732.tif 000011
【図９】
2013182732.tif 000012
【図１０】
2013182732.tif 000013
【図１１】
2013182732.tif 000014